(57)【要約】【課題】外出先でも入手容易な氷を用いて、氷嚢使用者の首回りを長時間冷却することを可能とする。【解決手段】使用者の首回りに装着することで、当該使用者の首回りを冷却する氷嚢１００は、氷３０を収容する内嚢部材２０と、内嚢部材２０を内部に収容する外嚢１０と、内嚢部材２０が取り付けられる内嚢部材連結部２１とを備え、内嚢部材２０は、氷嚢１００が装着状態であるときに、収容されている氷３０が融解したことによる融解水３１を内嚢部材２０の外部に排出する融解水排出部２２を有し、外嚢１０は、氷嚢１００が装着状態であるときに、内嚢部材２０が収容される位置よりも低位置、かつ内嚢部材２０と所定の距離を隔てた位置に、融解水排出部２２より排出された融解水３１を収容する融解水収容部１４を有する。【選択図】図３
2015107248.tif 000002
【特許請求の範囲】
【請求項１】
嚢内部に氷を収容して使用者の首回りに装着することで、当該使用者の首回りを冷却する氷嚢であって、
氷を収容する内嚢部材と、
前記内嚢部材を内部に収容する外嚢と、
前記内嚢部材が取り付けられる内嚢部材連結部とを備え、
前記内嚢部材は、前記氷嚢が装着状態であるときに、収容されている氷が融解したことによる融解水を前記内嚢部材の外部に排出する融解水排出部を有し、
前記外嚢は、前記氷嚢が装着状態であるときに、前記内嚢部材が収容される位置よりも低位置、かつ前記内嚢部材と所定の距離を隔てた位置に、前記融解水排出部より排出された融解水を収容する融解水収容部を有する
ことを特徴とする氷嚢。
【請求項２】
前記内嚢部材に前記氷を充填するための氷充填口と、
前記氷充填口を閉塞するための閉塞部とを備え、
前記外嚢は、防水性を有する材質で形成され、
前記外嚢は、前記氷嚢が装着状態であるときに、前記使用者の首回りに密着するように円弧状に湾曲し、
前記内嚢部材は、前記氷嚢が装着状態であるときに、前記使用者の首筋部分に位置し、
前記融解水収容部は、前記外嚢の両端部である
請求項１記載の氷嚢。
【請求項３】
前記融解水排出部は、網目状のネットである
請求項１または請求項２に記載の氷嚢。
【請求項４】
前記外嚢は、前記氷嚢が装着状態であるときに、前記外嚢を前記使用者の首周りに固定する固定具を有する
請求項１から請求項３のうち何れかに記載の氷嚢。
【発明の詳細な説明】
【技術分野】
【０００１】
本発明は、氷嚢に関し、特に、嚢内部に氷を収容して使用者の首回りに装着することで、当該使用者の首回りを冷却する氷嚢に関する。
【背景技術】
【０００２】
身体の特定部位の冷却を要する場合には、水や氷などの冷媒が入った嚢状の氷嚢を、冷却を要する部位に接触させることが行われている。
【０００３】
しかし、従来の氷嚢においては、氷嚢を手で押さえて冷却を要する部位に当てておく必要がある。そのため、氷嚢使用者は、氷嚢使用時に、片手もしくは両手を長時間ふさがれてしまい、手を使った作業をすることが困難であった。
【０００４】
一方、例えば特許文献１においては、氷嚢取付板が設けられたバンド状の氷嚢固定具によって氷嚢を固定し、身体の特定部位を冷却することが開示されている。
【０００５】
また、例えば特許文献２においては、首に装着して使用する安眠まくらに設けられたポケットに冷却材を入れることにより、身体の特定部位を冷却することが開示されている。
【先行技術文献】
【特許文献】
【０００６】
【特許文献１】特開２００３−３１９９６２号公報
【特許文献２】登録実用新案第３１６９４５１号公報
【発明の概要】
【発明が解決しようとする課題】
【０００７】
特許文献１の氷嚢固定具においては、氷と水とを入れた氷嚢を冷却したい所望の位置に安定して保持させることができるので、氷嚢使用者は、氷嚢使用時においても両手を使用することが可能である。
しかしながら、氷は、水と接触している状態では溶けやすいという問題がある。したがって、特許文献１に記載された氷嚢は、氷が溶ける度に氷嚢に新たに氷を入れなおす必要があり、氷嚢使用者にとって非常に手間がかかるものである。
【０００８】
一方、特許文献２の安眠まくらにおいては、氷と水の代わりに、氷水に比べて冷却効果が長時間持続するジェルまたはゲル状の冷却材を使用することも考えられる。
これにより、上記使用者にとっての手間は解消されるが、あらかじめ冷凍庫で冷却された状態のジェルまたはゲル状の冷却材を外出先で入手することは困難であり、携帯するのには不便である。
【０００９】
本発明は、上記課題に鑑みてなされたものであり、嚢内部に氷を収容して使用者の首回りに装着することにより、当該使用者の首回りを冷却することができる氷嚢を提供することを課題とする。
【課題を解決するための手段】
【００１０】
上記課題を解決するため、本発明の氷嚢は、氷を収容する内嚢部材と、前記内嚢部材を内部に収容する外嚢と、前記内嚢部材が取り付けられる内嚢部材連結部とを備え、前記内嚢部材は、前記氷嚢が装着状態であるときに、収容されている氷が融解したことによる融解水を前記内嚢部材の外部に排出する融解水排出部を有し、前記外嚢は、前記氷嚢が装着状態であるときに、前記内嚢部材が収容される位置よりも低位置、かつ前記内嚢部材と所定の距離を隔てた位置に、前記融解水排出部より排出された融解水を収容する融解水収容部を有することを特徴とする。
【００１１】
上記の構成としたことで、嚢内部に氷を収容して使用者の首回りに装着することにより、当該使用者の首回りを冷却することができる氷嚢を提供することができるようになる。
【００１２】
また、前記内嚢部材に前記氷を充填するための氷充填口と、前記氷充填口を閉塞するための閉塞部とを備え、前記外嚢は、防水性を有する材質で形成され、前記外嚢は、前記氷嚢が装着状態であるときに、前記使用者の首回りに密着するように円弧状に湾曲し、前記内嚢部材は、前記氷嚢が装着状態であるときに、前記使用者の首筋部分に位置し、前記融解水収容部は、前記外嚢の両端部である構成とされていてもよい。
【００１３】
また、前記融解水排出部は、網目状のネットである構成とされていてもよい。
【００１４】
また、前記氷嚢が装着状態であるときに、前記外嚢を前記使用者の首周りに固定する固定具を有する構成とされていてもよい。
【発明の効果】
【００１５】
上記の構成としたことで、嚢内部に氷を収容して使用者の首回りに装着することにより、当該使用者の首回りを冷却することができるようになる。
【図面の簡単な説明】
【００１６】
【図１ａ】図１ａは、本発明の一の実施形態に係る氷嚢の構成例を示す説明図である。
【図１ｂ】図１ｂは、本発明の一の実施形態に係る氷嚢の構成例を示す説明図である。
【図２】図２は、本発明の一の実施形態に係る氷嚢の構成例を示す説明図である。
【図３】図３は、本発明の一の実施形態に係る氷嚢の使用状態を示す説明図である。
【図４】図４は、本発明の一の実施形態に係る氷嚢の使用状態を示す説明図である。
【図５】図５は、図１ａに示す氷嚢の使用時の様子を示す説明図である。
【図６】図６は、図１ａに示す氷嚢の使用時の様子を示す説明図である。
【図７】図７は、図１ａに示す氷嚢の使用時の様子を示す説明図である。
【図８】図８は、本発明の他の実施形態に係る氷嚢の説明図である。
【発明を実施するための最良の形態】
【００１７】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。さらに、以下の実施形態は、本発明に係る氷嚢が円弧状に湾曲する構成とされる場合を例示して説明するが、本発明が適用可能な氷嚢は円弧状に湾曲する構成に限られるものではない。本発明は、例えば、円筒形状など、氷嚢が使用者の首回りに装着される場合に想定されるあらゆる形状の氷嚢に適用可能である。
【００１８】
図１ａ、図１ｂおよび図２は、本発明の一の実施形態に係る氷嚢の概略を示すものである。より具体的には、図１ａと図１ｂとは、氷嚢の外観図である。使用者は、氷嚢を使用する場合には、図１ｂに示すように、図１ａに示す氷嚢を円弧上に湾曲して首回りに装着する。また、図２は、図１ａに示す氷嚢の部分破断図である。
【００１９】
本実施形態の氷嚢１００は、図１ａと図１ｂとに示すように、使用者の首回りに装着する外嚢１０と、外嚢１０の内部に氷を充填する氷充填口１１と、氷充填口１１を閉塞する閉塞部１２と、外嚢１０を使用者の首回りに固定する固定具１３ａおよび固定具１３ｂ（以下、単に固定具１３と呼ぶ場合がある）とから形成されている。
【００２０】
外嚢１０は、使用者の首回りに装着して用いる嚢であり、防水加工が施される構成とされる。このような構成とされることにより、外嚢１０の内部の水が、外嚢１０の外部に浸透し、使用者の首回りが濡れてしまうことを防止することができるようになる。より具体的には、外嚢１０は、ナイロン素材やアルミニウム素材などの防水機能を備える材質で形成される。また、外嚢１０は、性質や機能の異なる材質を複数重ね合わせて形成される構成とされてもよい。本実施形態では、外嚢１０は、１つの材質で形成されているが、例えば、外嚢１０の外側から順に、タオル地素材、アルミニウム素材、ナイロン素材を重ね合わせて外嚢１０が形成される構成とされてもよい。このような構成とされることにより、使用者の首回りには、タオル地素材の外嚢１０が密着し、着け心地のよいものとなる。また、タオル地素材は、ナイロン素材やアルミニウム素材に比べて熱伝導率が低く、外嚢１０の内部の氷が、外気と使用者の体温によって融解する速度を低下させるとともに、使用者の首回りが冷えすぎてしまうことを防止することができる。
【００２１】
氷充填口１１は、内嚢部材２０の内部に氷を充填する機能を有する。本実施形態においては、図１ｂに示すように、氷充填口１１は、使用者が氷嚢１００を首回りに対して装着した際に外側になる面であって、氷嚢１００のほぼ中央上部に配置されることが好ましい。このような構成とされることで、氷充填口１１が、使用者の首回りにあたってしまうことを防止することができる。また、本実施形態においては、氷充填口１１は、一般的に（例えば、コンビニエンスストアなどで）販売されている氷を充填可能な程度の大きさを有する構成とされるが、氷充填口１１の大きさは特に限定されない。また、氷充填口１１は、内嚢部材２０に備えられる構成とされてもよい。
【００２２】
閉塞部１２は、氷充填口１１を閉塞し、かつ氷充填口１１から外嚢１０の内部に収容される融解水が漏れ出てしまうことを防止する機能を有する。本実施形態においては、図１ｂに示すように、閉塞部１２は、氷充填口１１にかぶせて使用する薄手のキャップとされるが、氷充填口１１に差し込んで使用する栓など、他の構成とされてもよい。
【００２３】
固定具１３は、外嚢１０を使用者の首回りに固定する機能を有する。本実施形態では、図１ａに示すように、固定具１３には面ファスナが用いられているが、ボタンを用いるなど、固定具１３の種類は特に限定されない。
【００２４】
また、外嚢１０は、図２に示すように、外嚢１０の内部に、氷を収容する内嚢部材２０と、内嚢部材２０に収容されている氷が融解したことによる融解水（以下、単に融解水と呼ぶ場合がある）を収容する融解水収容部１４ａ及び１４ｂ（以下、単に融解水収容部１４と呼ぶ場合がある）とを有する。
【００２５】
融解水収容部１４は、外嚢１０が装着状態であるときに、内嚢部材２０に収容されている氷が融解したことによる融解水を収容する機能を有する。融解水収容部１４は、内嚢部材２０が収容される位置よりも低位置、かつ内嚢部材２０と所定の距離を隔てた位置に形成されることが好ましい。本実施形態においては、例えば、図２に示すように、融解水収容部１４は、外嚢１０の両端部に形成されるが、融解水収容部１４の位置は特に限定されない。また、図示はしないが、融解水収容部１４は、融解水の逆流を防止する機能として、隔壁部材や、逆止弁などを、内嚢部材２０と、融解水収容部１４との間に設ける構成とされてもよい。
【００２６】
内嚢部材２０は、内部に氷を収容して用いる網目状のネットで生成される嚢であり、内嚢部材連結部２１ａ及び２１ｂ（以下、単に内嚢部材連結部２１と呼ぶ場合がある）によって外嚢１０の内部に取り付けられている。
【００２７】
また、内嚢部材２０は、氷を充填する氷充填口１１と、氷充填口１１を閉塞部１２と、外嚢１０が装着状態であるときに、収容されている氷が融解したことにより生じる融解水を内嚢部材２０の外部に排出する融解水排出口２２とを有する。
【００２８】
また、本実施形態においては、図２に示すように、内嚢部材２０は、網目状のネットで形成され、内嚢部材２０全体が融解水排出部２２である構成とされるが、例えば、網目状のネットの代わりに、さらし布を用いるなど、他の素材が用いられる構成とされてもよい。
【００２９】
また、内嚢部材２０は、少なくとも融解水排出部２２から融解水を排出する構成とされていればよい。より具体的には、例えば、内嚢部材２０は、防水性を有する素材で形成され、かつ内嚢部材２０に、融解水排出部２２として複数の穴が設けられる構成など、他の構成とされてもよい。
【００３０】
内嚢部材連結部２１は、外嚢１０の内部に内嚢部材２０を取り付ける機能を有する。本実施形態においては、図２に示すように、ボタンと紐が内嚢部材連結部２１ａ及び２１ｂとして用いられるが、外嚢１０と、内嚢部材２０とが糸で縫いつけられて連結される構成など、他の構成とされてもよい。また、本発明においては、氷嚢１００が装着状態であるときに、内嚢部材２０と融解水収容部１４とが所定の距離を有する構成とされればよく、内嚢部材連結部２１を有さない構成とされてもよい。
【００３１】
融解水排出部２２は、外嚢１０が装着状態であるときに、収容されている氷が融解したことによる融解水を、内嚢部材２０の外部に排出する機能を有する。本実施形態においては、図２に示すように、網目状のネットで形成される内嚢部材２０全体が融解水排出部２２とされるが、例えば、内嚢部材２０の一部が融解水排出部２２とされるなど、他の構成とされてもよい。
【００３２】
次に、氷嚢１００の使用方法について図面を用いて説明する。
【００３３】
図３から図５は、図１ａの外嚢１０を円弧状に湾曲したものであり、氷嚢１００が使用者の首回りに装着状態であるときの様子を、使用者の側面から見たものである。なお、図３及び図４においては、使用者４０を省略して描いている。
【００３４】
本実施形態においては、先ず、図３に示すように、使用者４０は、氷３０を、氷充填口１１を介して内嚢部材２０の内部に収容する。また、本実施形態においては、図４に示すように、使用者４０は、氷３０を内嚢部材２０の内部に隙間がないように充填することが好ましい。このように、氷３０を内嚢部材２０の内部に充填することで、内嚢部材２０の内部に収容される氷３０が全て溶けるまでの時間が長くなり、使用者４０は、首回りを長時間冷却することが可能となる。しかしながら、内嚢部材２０の内部に充填される氷３０の量は特に限定されず、使用者４０は、内嚢部材２０の内部に、所望する量の氷３０を収容してもよい。
【００３５】
使用者４０は、内嚢部材２０に氷３０を充填すると、氷充填口１１を、閉塞部１２によって閉塞する。
【００３６】
本実施形態においては、図５に示すように、使用者４０は、氷充填口１１を閉塞部１２によって閉塞すると、外嚢１０の内部に備えられた内嚢部材２０を首筋に位置するようにして、氷嚢１００を首回りに装着する。また、使用者４０は、氷嚢１００を、融解水収容部１４である外嚢１０の両端部が融解水排出部２２が配置される位置よりも低位置に位置するように装着する。また、使用者４０は、氷嚢１００を、内嚢部材２０から、融解水収容部１４である外嚢１０の両端部にかけて所定角度傾斜した状態で首回りに装着することが好ましい。
【００３７】
使用者４０は、氷嚢１００を首回りに装着した状態で、氷嚢１００により首回りを冷却する。本実施形態においては、図５に示すように、使用者４０は、特に首筋を効果的に冷却することができる。
【００３８】
使用者４０が氷嚢１００を使用して所定の時間が経過すると、使用者４０の体温や外気などにより、内嚢部材２０に収容される氷３０が融解し、融解水３１が生じる。本実施形態においては、図５に示すように、使用者４０は、融解水収容部１４と、内嚢部材２０とが所定の距離を隔てた位置に形成される氷嚢１００を、融解水収容部１４である外嚢１０の両端部が、融解水排出部２２の配置される位置よりも低位置に位置させて装着している。そのため、融解水３１が、融解水排出部２２から排出され、融解水収容部１４に収容される。すなわち、氷３０は、内嚢部材２０に、融解水３１は、融解水収容部１４に、それぞれ所定の距離を隔てて収容される。なお、本実施形態においては、融解水排出部２２は、網目状のネットで形成された内嚢部材２０全体である。
【００３９】
図６は、図１ａの外嚢１０を円弧状に湾曲したものであり、氷嚢１００が使用者４０の首回りに装着状態であるときの様子を、使用者４０の正面から見たものである。使用者４０は、外嚢１０を、例えば、顎下に所定の空間を有した状態で装着してもよい。このような状態で氷嚢が装着されることで、使用者４０は、外嚢１０が首回りに装着されていることによる不快感を低減することができる。
【００４０】
図７は、図１ａの外嚢１０を円弧状に湾曲したものであり、氷嚢１００が使用者４０の首回りに装着状態であるときの様子を、使用者の背面から見たものである。
【００４１】
以上に説明したように、上述した一の実施形態では、本発明の氷嚢１００は、氷２０を収容する内嚢部材２０と、内嚢部材２０を内部に収容する外嚢１０と、内嚢部材２０が取り付けられる内嚢部材連結部２１とを備え、内嚢部材２０は、氷嚢１０が装着状態であるときに、収容されている氷３０が融解したことによる融解水３１を内嚢部材２０の外部に排出する融解水排出部２２を有し、外嚢１０は、氷嚢１００が装着状態であるときに、内嚢部材２０が収容される位置よりも低位置、かつ前記内嚢部材２０と所定の距離を隔てた位置に、融解水排出部２２より排出された融解水３１を収容する融解水収容部１４を有する構成とされるので、嚢内部に氷を収容して使用者の首回りに装着することで、使用者の首回りを冷却することができる氷嚢を提供できるようになる。
【００４２】
すなわち、上述した一の実施形態に係る氷嚢１００によれば、内嚢部材２０の内部に収容される氷３０と、氷３０が融解したことによる融解水３１とが所定の距離を隔てた位置に収容される構成とされるので、氷水を用いる従来の氷嚢に比べて氷が溶けにくく、長時間使用者の首回りを冷却することができるようになる。また、融解水収容部１４には、氷３０が融解したことによる融解水３１が順次収容され、融解水収容部１４の内部は冷却された状態となるため、融解水収容部を利用して使用者の首回りを冷却することができるようになる。
【００４３】
また、上述した一の実施形態では、前記内嚢部材２０に前記氷３０を充填するための氷充填口１１と、前記氷充填口１１を閉塞するための閉塞部１２とを備え、外嚢１０は、防水性を有する材質で形成され、外嚢１０は、氷嚢１００が装着状態であるときに、使用者４０の首回りに密着するように円弧状に湾曲し、内嚢部材２０は、氷嚢１００が装着状態であるときに、使用者４０の首筋部分に位置し、融解水収容部１４は、外嚢１０の両端部である構成とされるので、氷嚢を使用者の首回りに密着させて使用することができ、氷嚢による首回りの冷却効果をより高めることができるようになる。また、外出先でも比較的容易に入手することができる氷を用いる構成とされるので、外出先でも首回りを長時間冷却することができるようになる。
【００４４】
なお、上述した一の実施形態では特に言及していないが、内嚢部材２０は、外嚢１０のから取り外し可能な構成とされ、かつ外嚢１０には、内嚢部材２０を一または複数収容可能な複数の内嚢部材収容部が備えられる構成とされてもよい。これにより、使用者は、首筋以外にも、冷却を要する部位に合わせて内嚢部材の位置を変更することができるようになる。
【００４５】
また、上述した一の実施形態では、融解水排出部２２は、網目状のネットである構成とされるので、氷が収容される内嚢部材から、氷が融解したことによる融解水をスムーズに排出することができ、氷水を用いる従来の氷嚢に比べて氷が溶けにくく、長時間使用者の首回りを冷却することができるようになる。
【００４６】
また、上述した一の実施形態では特に言及していないが、図４及び図５に示すように、内嚢部材２０と、外嚢１０とのうち少なくとも一方は、伸縮性を有する材質で形成される構成とされてもよい。このような構成とされることで、氷嚢が装着状態であるときに、内嚢部材および外嚢を使用者の首筋部に密着させて位置させることができるようになり、冷却効果をさらに高めることができるようになる。
【００４７】
また、上述した一の実施形態では、氷嚢１００が装着状態であるときに、外嚢１０を使用者４０の首周りに固定する固定具１３を有する構成とされるので、氷嚢を使用者の首回りに密着させて使用することができ、氷嚢による首回りの冷却効果をより高めることができるようになる。また、例えば、歩行時やスポーツ時などの動きを伴う場合においても、氷嚢を使用者の首回りに固定することができ、安定した状態で使用者の首回りを冷却することができるようになる。
【００４８】
図８は、本発明の他の実施形態に係る本発明の氷嚢２００について説明するためのものである。なお、図３及び図４を用いて説明した部材と同一または類似する部材については、同一符号を付して説明を省略することがある。
【００４９】
外嚢１１０は、図８に示すように、融解水収容部１４から融解水３１を抽出する融解水抽出部１５ａ及び１５ｂを備える構成とされてもよい。このような構成とされることにより、融解水を適宜、外嚢の外部に排出することができ、氷嚢の冷却効果を高めることができるようになる。また、氷嚢の重量を小さくし、使用者の装着時の負担を低減することができるようになる。
【００５０】
また、内嚢部材１２０は、図８に示すように、融解水排出部１２２として内嚢部材１２０の下部を網目状のネットで形成し、また、内嚢部材１２０の上部を断熱性を備えるポリエチレン素材で形成する構成とされてもよい。このような構成とされることにより、内嚢部材の断熱性を高めることができるようになる。また、融解水の排出をすることができるので、さらに長時間、使用者の首回りを冷却することができるようになる。
【００５１】
また、氷充填口１１１は、図８に示すように、内嚢部材１２０に備えられる構成とされてもよい。このような構成とされる場合においても、氷充填口１１１と、閉塞部１１２とが備えられる位置、および大きさは、特に限定されない。
【産業上の利用可能性】
【００５２】
本発明は、使用者の首回りを冷却するのに有用である。
【符号の説明】
【００５３】
１０，１１０            外嚢
１１，１１１            氷充填口
１２，１１２            閉塞部
１３，１３ａ，１３ｂ    固定具
１４，１４ａ，１４ｂ    融解水収容部
１５ａ，１５ｂ          融解水抽出部
２０，１２０            内嚢部材
２１，２１ａ，２１ｂ    内嚢部材連結部
２２，１２２            融解水排出部
３０                    氷
３１                    融解水
４０                    使用者
１００，２００          氷嚢
【図１ａ】
2015107248.tif 000003
【図１ｂ】
2015107248.tif 000004
【図２】
2015107248.tif 000005
【図３】
2015107248.tif 000006
【図４】
2015107248.tif 000007
【図５】
2015107248.tif 000008
【図６】
2015107248.tif 000009
【図７】
2015107248.tif 000010
【図８】
2015107248.tif 000011